(57)【要約】インターネットウェブ技術が用いられ、特に、固定のエンドユーザ及びワイヤレスシステムにおいてローミングするエンドユーザのためにネットワークアクセスを認証するためにＲＡＤＩＵＳ（Ｒｅｍｏｔｅ Ａｕｔｈｅｎｔｉｃａｔｉｏｎ Ｄｉａｌ−Ｉｎ Ｕｓｅｒ Ｓｙｓｔｅｍ）及び関連するプロトコルが用いられる。
2004505568.tif 000002
【特許請求の範囲】
【請求項１】
ワイヤレスアクセスネットワークシステムにおける動作方法であって、
ＲＡＤＩＵＳ装置を設ける段階と、
ネットワークコントローラを設ける段階と、
ユーザがワイヤレスユーザ機器を通じてネットワークにアクセスし、所望のサービスプロバイダへのアクセスを要求する段階と、
上記ネットワークコントローラがユーザアクセス要求を受け取り、上記所望のサービスプロバイダのＲＡＤＩＵＳ装置に対してユーザの照合を要求し、上記ＲＡＤＩＵＳ装置からユーザ承認情報を受け取る段階と、
上記ネットワークコントローラが上記所望のサービスプロバイダに接続し、それにより上記ユーザが通信セッションを開始するために上記所望のサービスプロバイダとの通信リンクを確立する段階とを含む方法。
【請求項２】
所定のサービスプロバイダ識別情報が上記ワイヤレスユーザ機器と関連付けられ、上記ユーザの照合を要求する段階は、
第１のサービスプロバイダに関連付けられる第１のＲＡＤＩＵＳ装置から上記ユーザの照合を要求する段階と、
上記所定のサービスプロバイダ識別情報が上記第１のサービスプロバイダと一致しない場合は、上記第１のＲＡＤＩＵＳ装置が、上記所定のサービスプロバイダ識別情報と一致する識別情報を有するサービスプロバイダの更なるＲＡＤＩＵＳ装置へ照合要求を伝送する段階と、
上記更なるＲＡＤＩＵＳ装置が上記ネットワークコントローラへユーザ承認情報を伝送する段階とを含む、
請求項１記載の方法。
【請求項３】
上記ユーザに対して、データ容量に関連するサービスの値を割り当てる段階を含む、請求項１又は２記載の方法。
【請求項４】
上記ユーザに対して、待ち時間に関連するサービスの値を割り当てる段階を含む、請求項１乃至３のうちいずれか一項記載の方法。
【請求項５】
上記割り当てられたサービスの値は、標準ＲＡＤＩＵＳフォーマットメッセージに含まれる、請求項３記載の方法。
【請求項６】
上記システムは、セルラーワイヤレスインターネットアクセスシステムである、請求項１乃至５のうちいずれか一項記載の方法。
【請求項７】
上記システムは、ＵＭＴＳシステムである、請求項１乃至６のうちいずれか一項記載の方法。
【請求項８】
所定のサービスプロバイダに関連するユーザ識別情報とパスワードは、ワイヤレスユーザ機器と関連付けられ、
上記ユーザの照合を要求する段階は、上記ユーザ識別情報とパスワードを上記所望のサービスプロバイダのＲＡＤＩＵＳ装置に伝送する段階を含む、請求項１乃至７のうちいずれか一項記載の方法。
【請求項９】
上記ネットワークコントローラが上記所望のサービスプロバイダに接続する段階は、上記ネットワークコントローラがレイヤ２トンネリングプロトコルリンクを介して接続する段階を含む、請求項１乃至８のうちいずれか一項記載の方法。
【請求項１０】
上記サービスプロバイダはインターネットサービスプロバイダである、請求項１乃至９のうちいずれか一項記載の方法。
【請求項１１】
上記ユーザの照合を要求する段階は、ＲＡＤＩＵＳ装置に対して標準フォーマットのＲＡＤＩＵＳメッセージを伝送する段階を含み、上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングとを含む、
請求項１乃至１０のうちいずれか一項記載の方法。
【請求項１２】
上記所望のサービスプロバイダのＲＡＤＩＵＳ装置からユーザ承認を受け取る段階は、標準フォーマットのＲＡＤＩＵＳメッセージを受信する段階を含み、
上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングと、
上記ユーザがホームネットワークユーザであるかローミングユーザであるかを示す標識とを含む、
請求項１乃至１１のうちいずれか一項記載の方法。
【請求項１３】
ＲＡＤＩＵＳ装置と、
ネットワークコントローラと、
ユーザがネットワークにアクセスし、所望のサービスプロバイダへのアクセスを要求するためのワイヤレスユーザ機器と、
ユーザアクセス要求を受け取り、上記所望のサービスプロバイダのＲＡＤＩＵＳ装置に対してユーザの照合を要求し、上記ＲＡＤＩＵＳ装置からユーザ承認情報を受け取るよう配置されたネットワークコントローラと、
上記所望のサービスプロバイダに接続し、それにより上記ユーザが通信セッションを開始するために上記所望のサービスプロバイダとの通信リンクを確立するよう配置された上記ネットワークコントローラと含む、ワイヤレスアクセスネットワークシステム。
【請求項１４】
所定のサービスプロバイダ識別情報は上記ワイヤレスユーザ機器と関連付けられ、
上記ネットワークコントローラは、第１のサービスプロバイダに関連付けられる第１のＲＡＤＩＵＳ装置から上記ユーザの照合を要求することによってユーザの照合を要求するよう配置され、
上記所定のサービスプロバイダ識別情報が上記第１のサービスプロバイダと一致しない場合は、上記第１のＲＡＤＩＵＳ装置は、上記所定のサービスプロバイダ識別情報と一致する識別情報を有するサービスプロバイダの更なるＲＡＤＩＵＳ装置へ照合要求を伝送するよう配置され、
上記ネットワークコントローラへユーザ承認情報を伝送するよう上記更なるＲＡＤＩＵＳ装置が配置される、
請求項１３記載のシステム。
【請求項１５】
上記ユーザに対して、データ容量に関連するサービスの値を割り当てるよう配置される、請求項１３又は１４記載のシステム。
【請求項１６】
上記ユーザに対して、待ち時間に関連するサービスの値を割り当てるよう配置される、請求項１３乃至１５のうちいずれか一項記載のシステム。
【請求項１７】
上記割り当てられたサービスの値は、標準ＲＡＤＩＵＳフォーマットメッセージに含まれる、請求項１５又は１６記載のシステム。
【請求項１８】
セルラーワイヤレスインターネットアクセスシステムである、請求項１３乃至１７のうちいずれか一項記載のシステム。
【請求項１９】
ＵＭＴＳシステムである、請求項１３乃至１８のうちいずれか一項記載のシステム。
【請求項２０】
所定のサービスプロバイダに関連するユーザ識別情報とパスワードは、ワイヤレスユーザ機器と関連付けられ、
上記ネットワークコントローラは、上記ユーザ識別情報とパスワードを上記所望のサービスプロバイダのＲＡＤＩＵＳ装置に伝送することによってユーザの照合を要求するよう配置される、請求項１３乃至１９のうちいずれか一項記載のシステム。
【請求項２１】
上記ネットワークコントローラは、レイヤ２トンネリングプロトコルリンクを介して上記所望のサービスプロバイダに接続するよう配置される、請求項１３乃至２０のうちいずれか一項記載のシステム。
【請求項２２】
上記サービスプロバイダはインターネットサービスプロバイダである、請求項１３乃至２１のうちいずれか一項記載のシステム。
【請求項２３】
上記ネットワークコントローラは、ＲＡＤＩＵＳ装置に対して標準フォーマットのＲＡＤＩＵＳメッセージを伝送することによりユーザの照合を要求するよう配置され、上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングとを含む、
請求項１３乃至２２のうちいずれか一項記載のシステム。
【請求項２４】
上記ＲＡＤＩＵＳ装置は、標準フォーマットのＲＡＤＩＵＳメッセージを伝送することによりネットワークコントローラにユーザの承認を示すよう配置され、上記標準フォーマットのＲＡＤＩＵＳメッセージは、
ユーザ名属性と、
３２であるネットワークアクセス識別情報と、
２６である製造者特定属性と、
６である基地局ＩＤ値と、
９であるサービスプロバイダ値と、
上記所望のサービスプロバイダの名を示すテキストストリングと、
上記ユーザがホームネットワークユーザであるかローミングユーザであるかを示す標識とを含む、
請求項１３乃至２３のうちいずれか一項記載のシステム。
【請求項２５】
ワイヤレスアクセスネットワークシステムにおいて用いられるＲＡＤＩＵＳ装置であって、
上記システムのネットワークコントローラからワイヤレス機器のユーザの照合の要求を受信し、上記ネットワークコントローラにユーザ承認を与えるよう配置される、ＲＡＤＩＵＳ装置。
【請求項２６】
ワイヤレスアクセスネットワークシステムにおいて用いられるネットワークコントローラであって、
上記ネットワークに対するユーザアクセスを認証するためにＲＡＤＩＵＳサーバと共に用いられるＲＡＤＩＵＳクライアントを有するネットワークコントローラ。
【請求項２７】
請求項１乃至１２のうちいずれか一項記載のワイヤレスアクセスネットワークシステムにおける動作方法を実行するためのコンピュータプログラム手段を含むコンピュータプログラムエレメント。
【請求項２８】
集中ネットワークコントローラから対象インターネットサービスプロバイダ（ＩＳＰ）へセルラーネットワークを介してワイヤレス式に通信するために直接取り付けられたアンテナを有する携帯加入者端末をユーザが使用するＰＳＴＮ（Ｐｕｂｌｉｃ Ｓｗｉｔｃｈｅｄ Ｔｅｌｅｐｈｏｎｅ Ｎｅｔｗｏｒｋ）と共に通常は使用されるＲＡＤＩＵＳ（Ｒｅｍｏｔｅ Ａｕｔｈｅｎｔｉｃａｔｉｏｎ Ｄｉａｌ−Ｉｎ Ｕｓｅｒ Ｓｅｒｖｉｃｅ）を用いてセルラーワイヤレスインターネットアクセスシステムを動作させる方法であって、
上記加入者端末にネットワークオペレータの識別情報と上記アクセスネットワークオペレータに関連するユーザの識別情報及びパスワードを与える段階と、
上記加入者端末が上記集中ネットワークコントローラからアクセスを要求する段階と、
上記集中ネットワークコントローラが上記オペレータのＲＡＤＩＵＳサーバからユーザの照合を要求する段階と、
上記ＲＡＤＩＵＳサーバが上記ユーザの識別情報及びパスワードを照合する段階と、
上記集中ネットワークコントローラが承認メッセージを受信する段階と、
上記集中ネットワークコントローラがレイヤ２トンネリングプロトコルネットワークサーバ及び対象インターネットサービスプロバイダに接続し、上記加入者端末がインターネットセッションを開始する段階とを含む方法。
【請求項２９】
上記ＲＡＤＩＵＳサーバがオペレータＩＤに基づいてユーザがローミングユーザであるか判定する段階と、上記ホームアクセスネットワークオペレータの上記ＲＡＤＩＵＳサーバが提携先である許可されたオペレータ及びそのＲＡＤＩＵＳサーバに上記アクセスについての加入者要求を転送する段階と、上記提携先であるＲＡＤＩＵＳサーバがユーザＩＤ及びパスワードを照合し、これを上記集中ネットワークコントローラへ渡す段階とを含む、請求項２８記載の方法。
【請求項３０】
加入者端末に、上記アクセスシステムのデータ容量及び待ち時間に関するサービスの値を割り当てる段階を含む、請求項２８記載の方法。
【請求項３１】
上記ＲＡＤＩＵＳデータは標準データフォーマットを有し、上記サービスの値を上記フォーマットで格納する段階を含む、請求項２８記載の方法。
【発明の詳細な説明】
【０００１】
［関連出願］
本願は、「ＣＥＬＬＵＬＡＲ ＷＩＲＥＬＥＳＳ ＩＮＴＥＲＮＥＴ ＡＣＣＥＳＳ ＳＹＳＴＥＭ ＵＳＩＮＧ ＳＰＲＥＡＤ ＳＰＥＣＴＲＵＭ ＡＮＤ ＩＮＴＥＲＮＥＴ ＰＲＯＴＯＣＯＬ （ＩＰ）」なる名称の１９９９年１１月２日出願の米国特許出願第０９／４３２，８２４号（対応する形で欧州特許公開第１０９８５３９号として公開）の一部継続出願である「ＵＳＥ ＯＦ ＩＮＴＥＲＮＥＴ ＷＥＢ ＴＥＣＨＮＯＬＯＧＹ ＴＯ ＲＥＧＩＳＴＥＲ ＷＩＲＥＬＥＳＳ ＡＣＣＥＳＳ ＣＵＳＴＯＭＥＲＳ」なる名称の２０００年７月２７日出願の米国特許出願第０９／６２６，６９９号の一部継続出願である「ＵＳＥ ＯＦ ＩＮＴＥＲＮＥＴ ＷＥＢ ＴＥＣＨＮＯＬＯＧＹ ＴＯ ＰＥＲＦＯＲＭ ＡＣＣＯＵＮＴＩＮＧ ＦＵＮＣＴＩＯＮＳ」なる名称の２０００年７月２７日出願の米国特許出願第０９／６２６，５８２号に関連する。
【０００２】
［はじめに］
本発明は、ワイヤレスアクセスネットワーク上でホーム位置登録機能を提供するインターネット・ウェブ技術の使用に関する。
【０００３】
［発明の背景］
「ＣＥＬＬＵＬＡＲ ＷＩＲＥＬＥＳＳ ＩＮＴＥＲＮＥＴ ＡＣＣＥＳＳ ＳＹＳＴＥＭ ＵＳＩＮＧ ＳＰＲＥＡＤ ＳＰＥＣＴＲＵＭ ＡＮＤ ＩＮＴＥＲＮＥＴ ＰＲＯＴＯＣＯＬ （ＩＰ）」なる名称の１９９９年１１月２日出願の米国特許出願第０９／４３２，８２４号には、固定の又は携帯可能な無線のインターネット装置に高いデータ速度を与えるよう２ギガヘルツ又は他の周波数バンドで動作するセルラーワイヤレスインターネットアクセスシステムが記載されている。ユーザは、インターネットに接続された集中ネットワークコントローラと通信する近傍の基地局に接続する。このようなワイヤレス式の実施形態は、ＵＭＴＳ（ユニバーサル移動通信サービス）のアクセスネットワークとそのサブセットであるＵＴＲＡＮ（ユニバーサル地上無線アクセスネットワーク）標準とに関する。ＵＭＴＳ／ＵＴＲＡＮ標準は、３Ｇ Ｐｒｏｊｅｃｔ Ｐａｒｔｎｅｒｓｈｉｐ（３ＧＰＰ）ｗｗｗ．３ｇｐｐ．ｏｒｇによって公表されている。
【０００４】
任意の電気通信アクセスシステムにおいて、有線又は無線に関わらず、ローミングするエンドユーザのための便利な手段がなくてはならない。従来のセルラー・ワイヤレスシステムでは、ローミングは、一般的にはシグナリングシステム＃７（ＳＳ７）といった従来の電気通信プロトコルを用いてセルラーネットワークで通信するホーム位置登録（Ｈｏｍｅ ｌｏｃａｔｉｏｎ Ｒｅｇｉｓｔｅｒ：ＨＬＲ）によって制御される。公衆交換電話網（ＰＳＴＮ）を介してインターネットへのアクセスが行われる場合は、ＲＡＤＩＵＳサーバがかかる機能を提供する。ＲＡＤＩＵＳの説明は、ＷＷＷ．ＩＥＴＦ．ＯＲＧ（Ｉｎｔｅｒｎｅｔ Ｅｎｇｉｎｅｅｒｉｎｇ Ｔａｓｋ Ｆｏｒｃｅ）から入手可能なインターネット上の文献、ＲＦＣ２１３８ Ｒｅｍｏｔｅ Ａｕｔｈｅｎｔｉｃａｔｉｏｎ Ｄｉａｌ−Ｉｎ Ｕｓｅｒ Ｓｅｒｖｉｃｅ （ＲＡＤＩＵＳ） ｂｙ Ｃ． Ｒｉｇｎｅｙ， ｅｔ ａｌ．， Ａｐｒｉｌ １９９７によって与えられる。これまでは、このシステムは、公衆交換電話網アクセスのためにのみ使用されてきた。
【０００５】
従来の移動通信ローミング方法のプロトコルは、上述の同時係属中の米国特許出願第０９／４３２，８２４号に記載されるインターネットプロトコル（ＩＰ）ベースのワイヤレスアクセスシステムのローミング機能を十分にサポートしない場合がある。従って、ＩＰベースのワイヤレスアクセスシステムにおいてＨＬＲ機能及びローミングの機能を与え、上述の欠点を軽減することが要請される。
【０００６】
［発明の概要］
本発明の第１の面によれば、図１に記載されるようなワイヤレスアクセスネットワークシステムにおける動作方法が提供される。
【０００７】
本発明の第２の面によれば、請求項１３に記載されるようなワイヤレスアクセスネットワークシステムが提供される。
【０００８】
本発明の第３の面によれば、請求項２５に記載されるようなワイヤレスアクセスネットワークシステムにおいて用いられるＲＡＤＩＵＳ装置が提供される。
【０００９】
本発明の第４の面によれば、請求項２６に記載されるように、ワイヤレスアクセスネットワークシステムにおいて使用されるネットワークコントローラが提供され、ネットワークコントローラはネットワークに対するユーザのアクセスを許可するためにＲＡＤＩＵＳサーバと共に使用されるＲＡＤＩＵＳクライアントを有する。
【００１０】
本発明の第５の面によれば、請求項２７に記載されるように、ワイヤレスアクセスネットワークシステムにおける動作の方法を実行するためのコンピュータプログラム手段を含むコンピュータプログラムエレメントが提供される。
【００１１】
本発明の望ましい形態では、通常はＰＳＴＮ（公衆交換電話網）を通じたダイアルアップインターネットアクセスに用いられ、セルラーネットワークを介して集中ネットワークコントローラとワイヤレス式に通信し次に対象インターネットサービスプロバイダ（ＩＳＰ）と通信するために、直接取り付けられたアンテナを有する形態加入者端末をユーザが使用するＲＡＤＩＵＳ（Ｒｅｍｏｔｅ Ａｕｔｈｅｎｔｉｃａｔｉｏｎ Ｄｉａｌ−Ｉｎ Ｕｓｅｒ Ｓｅｒｖｉｃｅ）を用いたセルラーワイヤレスインターネットアクセスシステムの動作方法であって、加入者端末にいずれも上記のアクセスネットワークオペレータに関連するアクセスネットワーク識別情報とユーザ識別情報及びパスワードとを与える段階を含む方法が提供される。加入者端末は、集中ネットワークコントローラからインターネットアクセスを要求する。集中ネットワークコントローラは、オペレータのＲＡＤＩＵＳサーバからユーザの照合を要求する。ＲＡＤＩＵＳサーバはユーザ識別情報及びパスワードを照合する。集中ネットワークコントローラは、承認メッセージを受信する。集中ネットワークコントローラは、レイヤ２トンネリングプロトコルネットワークサーバ及び対象インターネットサービスプロバイダに接続し、加入者端末はインターネットセッションを開始する。
【００１２】
［望ましい実施形態の詳細な説明］
図１を参照するに、参照番号２１及び２２は、インターネットアクセスシステムの二の一般的なユーザを示す。各ワイヤレスアクセスユーザは、パーソナルコンピュータＰＣと、直接取り付けられたアンテナ２０を有しＲＳ２３２、ＵＳＢ又はイーサネット（Ｒ）（Ｅｔｈｅｒｎｅｔ（Ｒ））といった一般的なデータ接続によってＰＣに接続されるＵＭＴＳユーザ機器（ＵＥ）２１’及び２２’とを有する。ユーザ機器は、携帯型加入者端末と称され、その関連するＰＣと共に動作する。
【００１３】
ワイヤレスアクセスユーザは、上述の同時係属中の特許出願に記載されており、上述の同時係属中の特許出願に記載されるＵＭＴＳ／ＵＴＲＡＮシステム２３の一部であり、リンク１を介してＵＴＲＡＮネットワークを通じてワイヤレスで集中ネットワークコントローラ（ＩＮＣ）２４と通信する。このようなコントローラは、有線で又は他の方法でインターネットシステム又はウェブ（ｗｅｂ）３１に接続される。上述の同時係属中の特許出願において説明されるように、コントローラ２４は、無線ネットワークの資源を制御し割当て、基地局（ノードＢ）と加入者端末との間で高い信頼性でユーザトラフィックを伝達するＲＮＣ（Ｒａｄｉｏ Ｎｅｔｗｏｒｋ Ｃｏｎｔｒｏｌｌｅｒ）即ち無線ネットワークコントローラ２６を含む。ＳＧＳＮ（Ｓｅｒｖｉｎｇ Ｇｅｎｅｒａｌ Ｐａｃｋｅｔ Ｒａｄｉｏ Ｓｅｒｖｉｃｅ Ｎｏｄｅ：サービング汎用パケット無線サービスノード）２７は、セッション制御を行う。最後に、認証及び他の機能を提供するためにＲＡＤＩＵＳエレメントが割り当てられたＲＡＤＩＵＳクライアント２８が組み込まれる。
【００１４】
インターネットプロトコルネットワーク３１は、インターネットプロトコル接続３２によってＩＮＣ２４に接続され、次に、ＲＡＤＩＵＳサーバ３４を有するレイヤ２トンネリングプロトコルネットワークサーバ３５’を通じてＵＭＴＳアクセスネットワークオペレータ３５に接続される。ＲＡＤＩＵＳサーバユニット３４は、例えば、ユーザのホーム地域であるサンフランシスコ（Ｓ．Ｆ．）にあり、従ってホームＲＡＤＩＵＳサーバと称される。従って、これは上述の同時係属中の特許出願に記載されるように、認証機能及びアカウンティング機能の両方のためのサーバである。認証の後、通常はユーザはネットワーク３１を介してレイヤ２トンネリングプロトコルネットワークサーバＬＮＳ３６’を通じて対象インターネットサービスプロバイダ３６と通信する。
【００１５】
しかしながら、ユーザの加入者端末がニューヨーク（Ｎ．Ｙ．）にある場合、そのユーザは提携先のアクセスネットワークを使用せねばならないローミングユーザである。特に、ローミング契約をしたＵＭＴＳアクセスネットワークオペレータ３８と共に使用されるＲＡＤＩＵＳサーバ３７（Ｎ．Ｙ．）である。オペレータ３８はＬＮＳユニット３８’を有する。
【００１６】
図２は、ＲＡＤＩＵＳサーバを用いたシステムの典型的なホーム側動作を示す図であり、開始後、ステップ１に示すように集中ネットワークコントローラ（ＩＮＣ）は、移動ワイヤレスユーザ（ＵＥ）からインターネットアクセスのためのセッション要求を受け取る。図２のステップの参照番号は、図１に示される通信パスに対応する。
【００１７】
次に、ステップ２において、ＩＮＣ２４はＲＡＤＩＵＳサーバ３４からの移動ワイヤレスユーザに対するアクセス照合を要求する。図１を参照するに、ネットワーク３１の中にステップ２に対応するリンク２が示されている。ステップ３において、ＲＡＤＩＵＳサーバ３４は、承認パス及び拒否パスによって示されるように、ユーザを承認するか拒否するか判定し、ユーザＩＤ及びパスワードを照合する。各ユーザはユーザ識別情報及びユーザパスワードの両方を有すると共に、そのアクセスネットワークオペレータ３５の識別情報を有する。
【００１８】
このように、上述のことを要約するに、ユーザがワイヤレスインターネットアクセスを要求すると、３つの認証情報がネットワーク上に伝送される。第１の認証情報は、ＵＭＴＳへのアクセスが許可されたオペレータの名前であるオペレータ識別情報であり、第２の認証情報は、ＵＭＴＳへのアクセスが許可されたオペレータに関連するユーザ識別情報であり、第３の認証情報はＵＭＴＳへのアクセスが許可されたオペレータに関連するユーザパスワードである。このように、ユーザ認証はホームネットワーク内で行われる。以下に図４及び５を参照して説明するように、ユーザ認証は、ユーザが他のネットワーク内へローミングする場合にも行われうる。
【００１９】
図２のフローチャートにおいて、参照番号８で示すように認証が拒否されると、ステップ９においてＩＮＣ２４はセッションを破棄し、終了する。しかしながら、ステップ４に示すように承認されると、集中ネットワークコントローラは、契約したサービス即ち１層のサービス（ａ ｔｉｅｒ ｏｆ ｓｅｒｖｉｃｅ）、ローミング標識（この場合は否定を示す）、及び契約したＩＳＰを含む承認メッセージ（図１中のネットワーク３１のリンク４を参照）を受け取る。次に、ステップ５において（図１のリンク５参照）、ＩＮＣ２４は対象ＩＳＰ３６のＬＮＳ３６’に接続し、ユーザはＬＮＳ３６’によるＩＳＰへのアクセスのためのエンド・ツー・エンドのネゴシエーションを行う。次に、ユーザのＰＣと対象ＩＳＰとの間のインターネットセッションが始まる。
【００２０】
図３は、ＩＮＣ　ＲＡＤＩＵＳクライアント２８とホームサーバ３４との間の通常の認証、接続、及びセッション破棄を示す図である。ステップ４１において、アクセスが要求され、続いてステップ４２においてアクセスが承認される。次に、ステップ４３においてレイヤ２トンネリングプロトコルトンネルを通じて対象ＩＳＰへ接続が行われる。ステップ４４において切断アクセス要求があり、ステップ４６においてアクセス承認がある。最後に、上述の同時係属中の特許出願の明細書に記載のように、アカウンティングのために、ＲＡＤＩＵＳサーバ３４へユーザ切断通知が与えられる。
【００２１】
図４は、図１と同様の図であり、リンク１、２、４、５は図１に示されるものと同じである。ここでは、ユーザは、ローミング契約した提携先又はオペレータ３８とのアクセスが要求されるＵＭＴＳローミングを介してアクセスを試みる。
【００２２】
ここで、図４と共に図５のフローチャートを参照するに、開始後、ステップ１において、上述したように、ＩＮＣ２４はワイヤレスユーザからセッション要求を受け取る。次に、ステップ２において、ＩＮＣ２４はＲＡＤＩＵＳサーバ３４から移動ワイヤレスユーザのためのアクセス照合を要求する。この場合、ＵＥ２１’及び２２’に供給されたアクセスネットワークオペレータ識別情報は、ＲＡＤＩＵＳクライアント２８及びＳＧＳＮ２７を通じて送られるが、このオペレータがローミング契約した異なるＵＭＴＳアクセスネットワークオペレータを識別する。換言すれば、図４に示すように、ユーザ２１及び２２は、アクセスネットワークオペレータＩＤで示すようにホーム領域の外に位置する。ステップ３’において、ＲＡＤＩＵＳサーバ３４は、（要求と共に送られたオペレータＩＤに基づいて）これがローミングしているユーザからの要求であると判定し、提携先オペレータＲＡＤＩＵＳサーバ３７へ要求を転送する（図４、リンク３’）。判定ステップ３において、移動ワイヤレスユーザサーバ３７はユーザＩＤ及びパスワードを照合する。照合できなければ、図２と同様にステップ８及び９において拒否と破棄が行われる。
【００２３】
しかしながら、ステップ１０において、図４に示されるリンク１０を通じて提携先オペレータ３８とホームオペレータ３５との間で承認されると、ホームＲＡＤＩＵＳサーバ３４は承認メッセージを受け取り、これをＩＮＣ２４へ渡す。ステップ４と、（図１のリンク４と同様の）図４のリンク４に示すように、ＩＮＣ２４は、契約したサービス、ローミング標識（この場合は肯定を示す）、及び契約したＩＳＰを含む承認メッセージを受け取る。上述のように、ステップ５において、ＩＮＣ２４は対象ＩＳＰ３６のＬＮＳに接続する。ユーザはセッションを開始する。
【００２４】
ＲＡＤＩＵＳで図３に示されるようなメッセージやりとりを行なうために、メッセージの種別、構造、及び符号化は上述のＲＦＣ２１３８に概説されるような標準に従う。これらの標準に示されるように全てのデータパケットには、標準属性番号が与えられた属性が予め割り当てられる。ＲＡＤＩＵＳサーバ３４から移動ワイヤレスユーザサーバがＨＬＲ機能を実行するために必要とされる追加的な機能を容易とするために、標準属性だけでなく、追加的な属性が要求される。これらは、全て、図６のコードフォーマットに含まれ、オクテットはデータオクテットに関連し、種別と記載されたボックスは属性番号に関連する。ＲＡＤＩＵＳシステムでは、属性番号２６は製造者に固有の属性である。更に、これは標準ＲＡＤＩＵＳシステムとインターフェース接続するための最も便利な方法であると考えられている。しかしながら、新しい属性の種別を作ることが可能である。しかし、標準ＲＡＤＩＵＳシステムとのインタフェース接続は、本発明の方法を実施するための最も効率的な方法であると考えられている。従って、以下の説明は、標準属性が特定の方法で使用されねばならないときに以下説明するようなデータフォーマットとなる図６のデータフォーマットを用いたときの図３のメッセージ定義に関連する。
【００２５】
図６は、夫々の特定の機能について変更されうる基本コードフォーマットを示し、従って、一般的に基本コードフォーマットを示す。また、図３を参照するに、ステップ４１について、アクセス要求とユーザ名属性が含まれ（即ち種別番号１）、オクテットストリングのデータは属性番号３２によって定義されるネットワークアクセス識別情報（ＮＡＩ）の形を取る。例えば、ｕｓｅｒ＠ｒｅａｌｍである。すると、このシステムを標準ＰＳＴＮシステムと区別する製造者特定属性（上述の属性番号２６）は、図６のＩＰＷ種別と示されたボックスに含まれ、ノードＢＩＤ（即ち基地局ＩＤ）を示す番号１０を有する。そのＩＤの認証は、実際は図６に示す「値」のボックスに含まれる。他の製造者特定属性は、ＩＰＷ種別ボックスに番号９で示されたＩＳＰ名であり、実際の名前は図６に示すようにストリングオクテットとして示される。
【００２６】
次に、アクセス承認メッセージを与えるステップ４２について、本発明のシステムは、最終的な加入者端末が有するデータ容量及び待ち時間に関連するサービス即ち１層のサービス（ａ ｔｉｅｒ ｏｆ ｓｅｒｖｉｃｅ）の値を与える。もちろん、待ち時間は、データに対する要求の開始からデータの受信が開始する瞬間までのタイムラグとして定義される。このように、図６を参照するに、かかるサービスは、ＩＰＷ種別属性番号１によって示され、値のフィールドでは、低いレベルから高いレベルへ以下の数値が与えられる。
【００２７】
０　Ｂｒｏｎｚｅ
１　Ｓｉｌｖｅｒ
２　Ｇｏｌｄ
３　Ｂｕｓｉｎｅｓｓ
更に、アクセス承認メッセージ中には、ローミングが行われたか否かを示す他の製造者特定ローミング標識があり、図６の値フィールドのＩＰＷ種別番号２の後にホームネットワーク加入者を示す値０、ローミング加入者を示す値１が配置される。もちろん、上述のように、ストリングデータオクテット中にＩＳＰ名も与えられる。最後に、アクセス要求ステップ４４とアクセス承認ステップ４６であるかについては特別な変化はない。
【００２８】
上述のようなワイヤレスシステムの文脈において、サービスの割当ては、特に既存のＲＡＤＩＵＳ標準の標準データフォーマットに関するときに固有のものであると考えられる。
【００２９】
もちろん、上述のＨＬＲ機能及びローミング機能は一般的にはコンピュータプログラムにおいて、又は、プロセッサ（図示せず）上で（他のシステム機能と同様に）実行されるソフトウエアのルーチンで実行される。
【００３０】
従って、ＲＡＤＩＵＳサーバと関連するプロトコルが従来のＵＭＴＳ又はセルラーネットワークのＨＬＲ機能と関連するプロトコルの変わりに使用される、ワイヤレスネットワークにおける改善されたローミング機能が提供される。
【図面の簡単な説明】
【図１】本発明を示すインターネットシステムのブロック図である。
【図２】本発明の図１の方法を示すフローチャートである。
【図３】本発明の図１の方法を示す図である。
【図４】図１と同様のブロック図である。
【図５】図４のフローチャートである。
【図６】データフォーマット図である。
【図１】
2004505568.tif 000003
【図２】
2004505568.tif 000004
【図３】
2004505568.tif 000005
【図４】
2004505568.tif 000006
【図５】
2004505568.tif 000007
【図６】
2004505568.tif 000008
【国際公開パンフレット】
2004505568.tif 000009
2004505568.tif 000010
2004505568.tif 000011
2004505568.tif 000012
2004505568.tif 000013
2004505568.tif 000014
2004505568.tif 000015
2004505568.tif 000016
2004505568.tif 000017
2004505568.tif 000018
2004505568.tif 000019
2004505568.tif 000020
2004505568.tif 000021
2004505568.tif 000022
2004505568.tif 000023
2004505568.tif 000024
2004505568.tif 000025
2004505568.tif 000026
2004505568.tif 000027
2004505568.tif 000028
2004505568.tif 000029
2004505568.tif 000030
2004505568.tif 000031
2004505568.tif 000032
2004505568.tif 000033
2004505568.tif 000034
2004505568.tif 000035
2004505568.tif 000036
2004505568.tif 000037
【国際公開パンフレット（コレクトバージョン）】
2004505568.tif 000038
2004505568.tif 000039
【国際調査報告】
2004505568.tif 000040
2004505568.tif 000041
2004505568.tif 000042